【事件の表示】
　平成　５年特許願第３５２３５９号「遊技機の板面突出部品取り付け構造」拒絶査定不服審判事件〔平成　７年　８月　１日出願公開、特開平　７−１９４７７５〕について、次のとおり審決する。
【結　論】
　本件審判の請求は、成り立たない。
【理　由】
１．手続の経緯・本願発明
　本件出願は、平成５年１２月２９日の出願であって、明細書および図面の記載からみて、その請求項１に係る発明（以下、「本願発明」という。）は、その特許請求の範囲の請求項１に記載された次の事項により特定されるとおりのものと認める。
　
　「筒体と、この筒体の外周部に設けられ径方向に弾性変形付勢される弾性変形部とを有する板面突出部品と、
　この板面突出部品を軸方向に挿入抜去自在とするとともに軸回りに回動自在とする挿入凹部と、前記板面突出部品の所定回動位置で弾性変形部を係止し板面突出部品の回動による離脱にあたっては弾性変形部の外径の変更を要してこの外径の変更に伴う弾性変形部の付勢力増大によって板面突出部品の回動を阻止する回動阻止部とを有する取り付け基板と、
　前記板面突出部品と取り付け基板との間に設けられ板面突出部品の前記所定回動位置で板面突出部品の軸方向の移動を阻止する軸方向移動阻止手段と、
　を備えたことを特徴とする遊技機の板面突出部品取り付け構造。」
　　
２．引用例
　これに対して、原査定の拒絶の理由に引用され本件出願前に日本国内において頒布された刊行物である実願平１−７１９４８号（実開平３−９７８０号）のマイクロフィルム（以下「引用例１」という。）には、図面とともに、
　▽記載事項１、「(1)  複数のランプを基板に実装し、該基板をパチンコ機の遊技盤に・・・取付けたことを特徴とするパチンコ機の発光表示装置。」（実用新案登録請求の範囲）
　▽記載事項２、「第１９図ないし第２２図について、・・・、この発光表示装置１は、係合部７を備えたホルダ１７と、ホルダ１７に係合する基板１５と、ランプ２とを主構成とする。ホルダ１７は基板１５に係合し、かつランプ２を支持するためのものである。ホルダ１７は、円柱状に形成された係合部７の外側部に、一対の爪１８，１８を対向配置させている。一対の爪１８，１８は概略Ｌ字形状に形成され、ホルダ１７の係合部７側を第２１図に示した係合孔１９に挿通させ、つまみ２１を同図中、時計方向に回動させることによって、ホルダ１７は基板１５，すなわち係合孔１９の開口部外縁に係合する（第２０図参照。）。また、つまみ２１を同図中、反時計方向に回動させることによって、ホルダ１７と基板１５との係合は解除される。」（第８頁第１〜１６行）、
　▽記載事項３、「発光表示装置１は、基板１５をパチンコ機３の所定部位に配置し、つまみ２１を回動させることによって、ホルダ１７と基板１５とを直に係合または、この係合を解除することができる。」（第９頁第１０〜１４行）、
　▽記載事項４、「第５図および第６図は・・・ランプ２を第１９図ないし第２２図に示したホルダ１７を介して基板１５に実装している。・・・発光表示装置１は、・・・、ホルダ１７を操作することによって、基板１５を可変入賞装置２７から取外すことなく、ランプ２を取外すことができるので、ランプ２の交換作業を容易に行なうことができる。」（第２２頁第１２行〜第２３第４行）、
  ▽記載事項５、「発光表示装置１をチューリップ形式の通常入賞口３５に設けた場合を説明したが、これに限定されるものでなく、一般型の通常入賞口（・・・）３５をはじめとして、入賞表示灯５８、打ち止めランプ５９、さらにはパチンコ機３の外枠（・・・）６１および風車５６などに設けるようにしてもよい。」（第３２頁第１８行〜第３３頁第４行）、
　
との記載が認められ、
　また、上記摘記事項および第１９〜２１図等より、ホルダ１７は、円柱状に形成された係合部７の外側部に、一対の爪１８，１８を対向配置させ、一対の爪１８，１８は概略Ｌ字形状に形成され、ホルダ１７の係合部７側を係合孔１９に挿通させ、つまみ２１を時計方向に回動させることによって、ホルダ１７は基板１５，すなわち係合孔１９の開口部外縁に係合する。また、つまみ２１を反時計方向に回動させることによって、ホルダ１７と基板１５との係合は解除されること（記載事項２）、ランプ２をホルダ１７を介して基板１５に実装していること等、また、第２０図等から、ホルダ１７を回して基板１５に爪１８を係合するためには、安定固定のために概略Ｌ字形状の爪１８が基板１５を少々押圧するように弾性を持たせることは自明のことであるから、概略Ｌ字形状の一対の爪１８，１８は、「円柱状係合部７の外側部に対向配置され軸方向に弾性変形付勢される」ものと認められ、
　また、上記摘記事項および第１９〜２１図等より、発光表示装置１は、係合部７を備えたホルダ１７と、ホルダ１７に係合する基板１５と、ランプ２とを主構成とし、ホルダ１７の係合部７側を係合孔１９に挿通させ、つまみ２１を時計方向に回動させることによって、係合孔１９の開口部外縁に係合し、つまみ２１を反時計方向に回動させることによって、ホルダ１７と基板１５との係合は解除されること（記載事項２）等から、基板１５の係合孔１９は、「発光表示装置１を軸方向に挿入抜去自在とするとともに軸回りに回動自在とする」ものと認められ、
　また、上記摘記事項および第６・１９〜２１図等より、発光表示装置１は、係合部７を備えたホルダ１７と、ホルダ１７に係合する基板１５と、ランプ２とを主構成とし、ホルダ１７は、円柱状に形成された係合部７の外側部に、一対の爪１８，１８を対向配置させており、一対の爪１８，１８は概略Ｌ字形状に形成され、ホルダ１７の係合部７側を係合孔１９に挿通させ、つまみ２１を時計方向に回動させることによって、ホルダ１７は係合孔１９の開口部外縁に係合し、また、つまみ２１を反時計方向に回動させることによって、ホルダ１７と基板１５との係合は解除されること（記載事項２）、発光表示装置１は、基板１５をパチンコ機３の所定部位に配置し、つまみ２１を回動させることによって、ホルダ１７と基板１５とを直に係合または、この係合を解除することができること（記載事項３）等から、基板１５は、「発光表示装置１の所定回動位置で一対の爪１８，１８を係合し発光表示装置１の回動による係合の解除にあたってはつまみ２１を反時計方向に回動させることによって発光表示装置１の回動を阻止する回動阻止部とを有する」ものと認められ、
　また、上記摘記事項および第６・１９・２０図等より、発光表示装置１は、係合部７を備えたホルダ１７と、ホルダ１７に係合する基板１５と、ランプ２とを主構成とし、ホルダ１７は基板１５に係合し、ホルダ１７は、係合部７の外側部に、一対の爪１８，１８を対向配置させており、一対の爪１８，１８は概略Ｌ字形状に形成され、ホルダ１７の係合部７側を係合孔１９に挿通させ、つまみ２１を時計方向に回動させることによって、ホルダ１７は基板１５，すなわち係合孔１９の開口部外縁に係合すること（記載事項２）等から、一対の爪１８，１８は、「発光表示装置１と基板１５との間に設けられ発光表示装置１の所定回動位置で発光表示装置１の軸方向の移動を阻止する一対の爪１８，１８の屈曲先端部」を備えるものと認められる。
　これらの記載から、引用例１には、
　
　「円柱状係合部７と、この円柱状係合部７の外側部に対向配置され軸方向に弾性変形付勢される概略Ｌ字形状の一対の爪１８，１８とを有する発光表示装置１と、
　この発光表示装置１を軸方向に挿入抜去自在とするとともに軸回りに回動自在とする係合孔１９と、前記発光表示装置１の所定回動位置で一対の爪１８，１８を係合し発光表示装置１の回動による係合の解除にあたってはつまみ２１を反時計方向に回動させることによって発光表示装置１の回動を阻止する回動阻止部とを有する基板１５と、
　前記発光表示装置１と基板１５との間に設けられ発光表示装置１の前記所定回動位置で発光表示装置１の軸方向の移動を阻止する一対の爪１８，１８の屈曲先端部と、
　を備えたパチンコ機３の発光表示装置１取り付け構造。」
　
との発明（以下「引用例１発明」という。）が開示されていると認めることができる。
　
３．対比
　そこで、本願発明と引用例１発明とを対比すると、引用例１発明の「円柱状係合部７」、「対向配置され」、「一対の爪１８，１８」、「発光表示装置１」、「係合孔１９」、「係合」、「基板１５」、「一対の爪１８，１８の屈曲先端部」および「パチンコ機３」は、本願発明における「筒体」、「設けられ」、「弾性変形部」、「板面突出部品」、「挿入凹部」、「係止」、「取り付け基板」、「軸方向移動阻止手段」および「遊技機」に相当すると認められる。
　また、引用例１発明の「円柱状係合部７の外側部に対向配置され軸方向に弾性変形付勢される」と、本願発明の「筒体の外周部に設けられ径方向に弾性変形付勢される」は、「筒体の特定位置に設けられ特定方向に弾性変形付勢される」で共通し、
　また、引用例１発明の「つまみ２１を反時計方向に回動させることによって」と、本願発明の「弾性変形部の外径の変更を要してこの外径の変更に伴う弾性変形部の付勢力増大によって」は、「所定の条件によって」で共通する。
　したがって、両者は、
　
　「筒体と、この筒体の特定位置に設けられ特定方向に弾性変形付勢される弾性変形部とを有する板面突出部品と、
　この板面突出部品を軸方向に挿入抜去自在とするとともに軸回りに回動自在とする挿入凹部と、前記板面突出部品の所定回動位置で弾性変形部を係止し板面突出部品の回動による離脱にあたっては所定の条件によって板面突出部品の回動を阻止する回動阻止部とを有する取り付け基板と、
　前記板面突出部品と取り付け基板との間に設けられ板面突出部品の前記所定回動位置で板面突出部品の軸方向の移動を阻止する軸方向移動阻止手段と、
　を備えた遊技機の板面突出部品取り付け構造。」
　
である点で一致し、以下の点で相違している。
　
　相違点１：弾性変形部の構造において、本願発明では、「筒体の外周部に設けられ径方向に弾性変形付勢される」のに対し、引用例１発明では、本願発明のような構成となっていない点。
　
　相違点２：板面突出部品の回動を阻止する取り付け基板の回動阻止部の所定の条件において、本願発明では、「板面突出部品の所定回動位置で弾性変形部を係止し板面突出部品の回動による離脱にあたっては弾性変形部の外径の変更を要してこの外径の変更に伴う弾性変形部の付勢力増大による」のに対し、引用例１発明では、「発光表示装置１の所定回動位置で一対の爪１８，１８を係合し発光表示装置１の回動による係合の解除にあたってはつまみ２１を反時計方向に回動させる」ことであり、本願発明のような回動阻止部の構成条件となっていない点。
　
４．判断
　上記相違点について検討する。
　相違点１について、パチンコ機分野において、一般的に、円筒体の外周部に設けられ径方向に弾性変形付勢される弾性爪体が周知であるから｛例えば、実公昭４７−４０９２３号公報（第１頁２欄第９〜１３行、第１頁２欄第１８〜２１行等、第２図等）、実願昭６１−１２４５５５号（実開昭６３−３２５７９号）のマイクロフィルム（第６頁第８〜１１行、第７頁第７〜１２行等、第５図等）参照。｝、引用例１発明の一対の爪１８，１８に代えて、上記周知技術を適用し、 本願発明の相違点１に係る構成とすることは、当業者が適宜なし得る程度の設計的事項である。
　
　相違点２について、円周方向に弾性部材がある回動体の移動規制において、一般的に、被回動体に回動体の所定回動位置で弾性部材を係止し回動体の回動による離脱にあたっては弾性部材の外径の変更を要してこの外径の変更に伴う弾性部材の付勢力増大による回動阻止部を設けることが周知｛例えば、実願昭６３−１６８８１号（実開平１−１２１７０６号）のマイクロフィルム（第２頁第１８行〜第３頁第２行、第３頁第１８〜１９行等、第６〜９図等）、特開平４−３２２０３号公報（第３頁左欄下段第９〜１３行、第４頁左欄上段第７〜１１行等、第２・３図等）参照。｝であるから、引用例１発明の基板１５の回動阻止部の構成条件に代えて、上記周知技術を適用して、本願発明の相違点２に係る構成条件とすることは、当業者が格別の発明力を要することなく、必要に応じて容易に想到し得るものである。
　
　そして、本願発明が上記構成を採ることによりもたらされる効果は、引用例１発明および周知技術から当業者が予測できる範囲内のものであって格別のものとは認められない。
　
５．むすび
　以上のとおりであるから、本願発明は、引用例１発明および周知技術に基づいて、当業者が容易に発明できたものと認められるから、特許法第２９条第２項の規定により特許を受けることができない。
　よって、結論のとおり審決する。